(57)【要約】【課題】  利便性の高い情報読取装置を提供する。【解決手段】  情報読取装置１によれば、非接触ＩＣカードリーダライタ３０の読取り位置（通信可能な位置）が、イメージセンサ４０の読取り位置（焦点位置）とほぼ一致し、さらに、非接触ＩＣカードリーダライタ３０で読取り可能な範囲が、イメージセンサ４０の画角におさまる範囲とほぼ一致し、これらの読取手段が互いに向かい合っているため、同じ読取位置で、非接触ＩＣカードリーダライタ３０とイメージセンサ４０とのいずれでも情報の読取りを行うことができる。すなわち、利用者は単一の読取り位置のみを認識していれば足りるため、利便性が向上する。【選択図】図２
2012128759.tif 000002
【特許請求の範囲】
【請求項１】
情報記録媒体を接触させる接触面と、
前記接触面の近傍に設けられ、前記情報記録媒体から情報を読み取る第１の読取手段と、
前記接触面と向かい合う面に設けられ、前記接触面の方向で画像情報を読み取る第２の読取手段と
を有し、
前記第１の読取手段及び前記第２の読取手段は、前記接触面の同じ位置で、前記情報記録媒体から情報を読み取ることができる
情報読取装置。
【請求項２】
前記第１の読取手段は、前記情報記録媒体から、非接触で情報を読み取るためのアンテナであり、
前記第２の読取手段は、光学レンズを用いて、前記情報記録媒体に表示された情報を撮影するカメラであり、
前記光学レンズは、前記接触面上でフォーカスが合うように設計されている
請求項１に記載の情報読取装置。
【請求項３】
前記接触面は、上方を向いた面であり、
前記第２の読取手段は、下方を撮影するカメラである
請求項２に記載の情報読取装置。
【請求項４】
情報読取装置の筐体前面に設けられ、情報記録媒体を配置可能な深さに窪んだ凹部
をさらに有し、
前記接触面は、前記凹部の底面に設けられ、
前記第２の読取手段は、前記凹部の天面に設けられている
請求項２に記載の情報読取装置。
【請求項５】
前記接触面は、前記筐体の前面に向けて、下方に傾斜してなる
請求項４に記載の情報読取装置。
【請求項６】
前記第１の読取手段又は前記第２の読取手段による読取結果に基づいて、既定の情報処理が終了後に情報記録媒体が前記接触面に残存している旨を検知する残存検知手段
をさらに有する請求項１に記載の情報読取装置。
【請求項７】
前記第１の読取手段又は前記第２の読取手段による読取結果に基づいて、情報記録媒体の表裏をひっくり返すように通知する通知手段
をさらに有する請求項１に記載の情報読取装置。
【請求項８】
表示装置と、
前記第２の読取手段により読み取られた画像と、情報記録媒体を配置すべき領域を示すガイド画像とを合成し、合成された画像を前記表示装置に表示させるガイド画像表示手段と
をさらに有する請求項１に記載の情報読取装置。
【発明の詳細な説明】
【技術分野】
【０００１】
本発明は、情報読取装置に関する。
【背景技術】
【０００２】
例えば、特許文献１には、上面に、カードに搭載されたＩＣチップに記録されているカード情報を非接触で読取る非接触読取機能を有するカード読取部６ａと、下面に設けられた搭乗券等に付されたバーコードを読取るバーコードリーダ６ｂ等を備えているチェックイン端末が開示されている。
【先行技術文献】
【特許文献】
【０００３】
【特許文献１】特開２０１０−２０９９５４号公報
【発明の概要】
【発明が解決しようとする課題】
【０００４】
利便性の高い情報読取装置を提供することを目的とする。
【課題を解決するための手段】
【０００５】
本発明の情報読取装置は、情報記録媒体を接触させる接触面と、前記接触面の近傍に設けられ、前記情報記録媒体から情報を読み取る第１の読取手段と、前記接触面と向かい合う面に設けられ、前記接触面の方向で画像情報を読み取る第２の読取手段とを有し、前記第１の読取手段及び前記第２の読取手段は、前記接触面の同じ位置で、前記情報記録媒体から情報を読み取ることができる。
【０００６】
好適には、前記第１の読取手段は、前記情報記録媒体から、非接触で情報を読み取るためのアンテナであり、前記第２の読取手段は、光学レンズを用いて、前記情報記録媒体に表示された情報を撮影するカメラであり、前記光学レンズは、前記接触面上でフォーカスが合うように設計されている。
【０００７】
好適には、前記接触面は、上方を向いた面であり、前記第２の読取手段は、下方を撮影するカメラである。
【０００８】
好適には、情報読取装置の筐体前面に設けられ、情報記録媒体を配置可能な深さに窪んだ凹部をさらに有し、前記接触面は、前記凹部の底面に設けられ、前記第２の読取手段は、前記凹部の天面に設けられている。
【０００９】
好適には、前記接触面は、前記筐体の前面に向けて、下方に傾斜してなる。
【００１０】
好適には、前記第１の読取手段又は前記第２の読取手段による読取結果に基づいて、既定の情報処理が終了後に情報記録媒体が前記接触面に残存している旨を検知する残存検知手段をさらに有する。
【００１１】
好適には、前記第１の読取手段又は前記第２の読取手段による読取結果に基づいて、情報記録媒体の表裏をひっくり返すように通知する通知手段をさらに有する。
【００１２】
好適には、表示装置と、前記第２の読取手段により読み取られた画像と、情報記録媒体を配置すべき領域を示すガイド画像とを合成し、合成された画像を前記表示装置に表示させるガイド画像表示手段とをさらに有する。
【発明の効果】
【００１３】
本発明によれば、利便性の高い情報読取装置を提供することができる。
【図面の簡単な説明】
【００１４】
【図１】第１実施形態の情報読取装置１の全体構成を模式的に示す図である。
【図２】情報読取ユニット１０の凹部１００近傍における断面を模式的に示す図である。
【図３】情報読取装置１の全体動作（Ｓ１０）を説明するフローチャートである。
【図４】変形例１における凹部１００近傍の断面を模式的に示す図である。
【図５】撮影された画像とガイド情報との合成画像を例示する図である。
【発明を実施するための形態】
【００１５】
以下、本発明の実施形態を図面を参照して説明する。
図１は、第１実施形態の情報読取装置１の全体構成を模式的に示す。
図１に示すように、情報読取装置１は、情報読取ユニット１０と、情報処理ユニット２０とを備える。情報読取ユニット１０の筐体前面には、情報記録媒体を挿入するための凹部１００が設けられている。ここで、情報記録媒体は、情報を記録できる媒体であれば何でもよいが、例えば、ＩＣチップが搭載されたＩＣカード、二次元コードなどのコードパターンが表面に印刷されたカード、ＩＣチップ及びバーコードの両方が設けられたカード、又は、ＩＣチップが搭載され二次元コードが表示可能な携帯電話などである。
情報読取ユニット１０は、情報処理ユニット２０の下方に設けられており、凹部１００は、例えば、利用者の腰から肩の間の高さに位置するよう配置されている。
【００１６】
情報処理ユニット２０は、タッチパネル２００と、センサ２０２と、情報処理装置５０（不図示）とを有する。タッチパネル２００は、凹部１００と同じ筐体前面に設けられており、利用者の操作をガイドするガイド情報などの表示、及び、利用者による入力操作の受付を行う。センサ２０２は、例えば、利用者の接近を検知する対人センサであり、タッチパネル２００の下方に設けられる。情報処理装置５０は、情報処理ユニット２０の筐体内部に設けられ、例えば、ＣＰＵ（中央演算装置）、メモリ及び入出力制御装置などを有する。
【００１７】
図２は、情報読取ユニット１０の凹部１００近傍における断面を模式的に示す。
図２に示すように、情報読取ユニット１０の前面（すなわち、利用者と対向する操作面）に設けられた凹部１００は、略水平な底面１０２及び天面１０６と、略鉛直な奥側面１０４とを有する。
底面１０２及び天面１０６は、互いに向かい合っており、少なくとも、情報記録媒体（例えば、カード状の媒体及び携帯電話）が挿入できる程度に離間している。例えば、天面１０６は、後述するイメージセンサ４０が情報記録媒体を画角におさめることができ、かつ、イメージセンサ４０の焦点位置が底面１０２となるように、離間している。より具体的には、底面１０２と天面１０６とは、４．５ｃｍ〜１０．５ｃｍ離間している。
また、奥側面１０４は、情報読取ユニット１０の前面から、情報記録媒体全体を収容できる程度に後退した位置にある。すなわち、凹部１００は、情報記録媒体を配置可能な深さ（例えば、１０ｃｍ〜２０ｃｍの深さ）に窪んだ領域である。
【００１８】
底面１０２には、非接触ＩＣカードリーダライタ３０が設けられている。非接触ＩＣカードリーダライタ３０は、本発明に係る第１の読取手段の一例である。より具体的には、底面１０２の直下に、非接触ＩＣカードリーダライタ３０のアンテナが埋め込まれている。非接触ＩＣカードリーダライタ３０は、底面１０２上の読取領域（本発明の接触面）に配置されたＩＣカードから、非接触で情報の読出し及び書込みを行う。
【００１９】
天面１０６には、イメージセンサ４０が設けられている。イメージセンサ４０は、本発明に係る第２の読取手段の一例である。イメージセンサ４０は、下方を撮影するように天面１０６に設置されている。イメージセンサ４０は、レンズ４００と、発光装置４０２とを有する。レンズ４００は、底面１０２と天面１０６との間の距離に対応する焦点距離に設計されている。発光装置４０２は、例えば、情報記録媒体を配置すべき位置を示すガイド情報を、底面１０２上に投影する。また、発光装置４０２は、イメージセンサ４０による撮影に必要な光を底面１０２に向けて照射する。
【００２０】
図３は、情報読取装置１の全体動作（Ｓ１０）を説明するフローチャートである。
図３に示すように、ステップ１００（Ｓ１００）において、センサ２０２は、利用者が情報読取装置１の前面に接近したことを検知すると、検知した旨を情報処理装置５０に出力する。
【００２１】
ステップ１０２（Ｓ１０２）において、情報処理装置５０は、センサ２０２からの出力に応じて、初期画面をタッチパネル２００に表示させる。
タッチパネル２００は、初期画面を表示して、利用者の操作を受け付ける。
【００２２】
ステップ１０４（Ｓ１０４）において、情報処理装置５０は、タッチパネル２００に、順次、メニュー又は入力画面を表示させて、利用者が望むサービスに対応する入力操作を受け付ける。
【００２３】
ステップ１０６（Ｓ１０６）において、情報処理装置５０は、利用者に要求されたサービスが非接触ＩＣカードの情報のみを必要とするものであるか否かを判断し、非接触ＩＣカードの情報のみが必要とするものであると判断した場合に、Ｓ１０８の処理に移行し、これ以外の場合（すなわち、二次元コードなどで表された情報を必要とするサービスである場合）に、Ｓ１１０の処理に移行する。
【００２４】
ステップ１０８（Ｓ１０８）において、情報処理装置５０は、タッチパネル２００に、「規定の位置に媒体を置いてください。」と表示させて、情報記録媒体を底面１０２の読取領域に置くよう促す。さらに、発光装置４０２は、情報処理装置５０の指示に応じて、情報記録媒体を置くべき位置を底面１０２上に投影する。
利用者は、タッチパネル２００の表示に従って、底面１０２の読取領域に、情報記録媒体を置く。
【００２５】
ステップ１１０（Ｓ１１０）において、情報処理装置５０は、タッチパネル２００に、「コードを上向きにして規定の位置に媒体を置いてください。」と表示させて、コードが表示された面を上向きにして、情報記録媒体を底面１０２の読取領域に置くよう促す。さらに、発光装置４０２は、情報処理装置５０の指示に応じて、情報記録媒体を置くべき位置を底面１０２上に投影する。
利用者は、タッチパネル２００の表示に従って、底面１０２の読取領域に、コードの表示面が上向きとなるように情報記録媒体を置く。
【００２６】
ステップ１１２（Ｓ１１２）において、非接触ＩＣカードリーダライタ３０は、底面１０２の読取領域に置かれた情報記録媒体と、非接触に通信を行い、情報の読出しを行う。
また、イメージセンサ４０は、コードの読取りが必要である場合（Ｓ１０６：Ｎｏ）、底面１０２の方向を撮影して、情報記録媒体に表示された二次元コードを読み取る。
【００２７】
ステップ１１４（Ｓ１１４）において、情報処理装置５０は、非接触ＩＣカードリーダライタ３０により読み取られたデータ、及び／又は、イメージセンサ４０により読み取られたデータを検証し、データの読取りが正常に行われたか否かを判断する。
情報処理装置５０は、データの読取りが正常に行われた場合に、Ｓ１１６の処理に移行し、データの読取りが正常に行われなかった場合に、Ｓ１０６の処理に戻って、再読取を行う。
【００２８】
ステップ１１６（Ｓ１１６）において、情報処理装置５０は、情報記録媒体から読み取られたデータに基づいて、サービスを継続し、サービス終了後に、タッチパネル２００による表示、又は、発光装置４０２による投影によって、情報記録媒体の持ち帰りを促す。
【００２９】
以上説明したように、本実施形態の情報読取装置１によれば、非接触ＩＣカードリーダライタ３０の読取り位置（通信可能な位置）が、イメージセンサ４０の読取り位置（焦点位置）とほぼ一致し、さらに、非接触ＩＣカードリーダライタ３０で読取り可能な範囲が、イメージセンサ４０の画角におさまる範囲とほぼ一致し、これらの読取手段が互いに向かい合っているため、同じ読取位置で、非接触ＩＣカードリーダライタ３０とイメージセンサ４０とのいずれでも情報の読取りを行うことができる。すなわち、利用者は単一の読取り位置のみを認識していれば足りるため、利便性が向上する。
また、発光装置４０２によるガイド情報を、非接触ＩＣカードリーダライタ３０による読取処理とイメージセンサ４０による読取処理とで兼用できるため、コストダウンが期待できる。
また、発光装置４０２は筐体前面の凹部１００の天面から底面に向けて光を照射するため、発光装置４０２による光が直接利用者の目に入る危険性が減少するものと期待される。
また、イメージセンサ４０が下方を向いて設置されているため、イメージセンサ４０に対する外来光の影響が小さくなり、コードデータなどの読取精度が向上するものと期待される。
【００３０】
次に、上記実施形態の変形例を説明する。
［変形例１］
図４は、変形例１における凹部１００近傍の断面を模式的に示す。
図４に示すように、底面１０２が略水平ではなく、傾斜した平面であってもよい。本変形例では、底面１０２が、情報読取ユニット１０の筐体前面に向けて、下方に傾斜している。すなわち、利用者に向かって、底面１０２が低くなるため、この底面１０２に置かれた情報記録媒体は、利用者側に向かって滑り落ちる。そのため、利用者は情報記録媒体を支えながら操作することになり、情報記録媒体（ＩＣカードなど）の置き忘れ防止が期待できる。さらには、情報記録媒体を底面１０２に置いた場合でも、情報記録媒体の視認性が確保され、利用者は安心して情報読取装置１を利用できる。
また、図４に示すように、本変形例では、底面１０２の読取領域の中央部分に、情報記録媒体を置くべき位置を示すガイドランプ１０８が設けられている。天面１０６からガイド情報を投影する代わりに、底面１０２にガイドランプ１０８を設けて、情報記録媒体の載置位置を示唆してもよい。
なお、情報記録媒体が凹部１００から完全に滑り落ちることを防止するために、底面１０２にストッパー１１０を設けてもよい。本変形例のストッパー１１０は、読取領域よりも利用者側（前面側）に設けられ、上方に突出した突起物である。
【００３１】
［変形例２］
情報処理装置５０（残存検知手段）は、非接触ＩＣカードリーダライタ３０による通信の可否、又は、イメージセンサ４０によるコード読取りの可否に基づいて、情報記録媒体の置忘れを検知し、利用者に警告するようにしてもよい。
また、情報処理装置５０（通知手段）は、非接触ＩＣカードリーダライタ３０による通信の可否、及び、イメージセンサ４０によるコード読取りの可否に基づいて、情報記録媒体の表裏をひっくり返すよう通知してもよい。より具体的には、情報処理装置５０は、非接触ＩＣカードリーダライタ３０による通信が可能であると判断され、かつ、イメージセンサ４０によるコード読取りが不可能であると判断された場合に、情報記録媒体の表裏をひっくり返すよう通知する。なお、情報処理装置５０は、イメージセンサ４０によって物体の存在が検知され、かつ、コード読取りが不可能である場合に、情報記録媒体の表裏をひっくり返すよう通知してもよい。
【００３２】
［変形例３］
情報処理装置５０（ガイド画像表示手段）は、図５に例示するように、イメージセンサ４０により読み取られた画像に、情報記録媒体を置くべき位置を示すガイド情報を合成し、合成された画像をタッチパネル２００に表示させてもよい。図５に例示する形態では、情報記録媒体を置くべき位置を示すガイド情報と、情報記録媒体のコード印字面を上にするように促すガイド情報とが、イメージセンサ４０により撮影された画像に合成されているが、これに加えて、正常に読取りができたか否かを表す情報なども合成して表示されてもよい。
情報処理装置５０は、リアルタイムで、イメージセンサ４０により読み取られた画像に、これらのガイド情報を合成して表示させることにより、利用者はタッチパネル２００を見ながら、情報記録媒体の位置を調整することができる。
【符号の説明】
【００３３】
１…情報読取装置
１０…情報読取ユニット
２０…情報処理ユニット
３０…非接触ＩＣカードリーダライタ
４０…イメージセンサ
５０…情報処理装置
【図１】
2012128759.tif 000003
【図２】
2012128759.tif 000004
【図３】
2012128759.tif 000005
【図４】
2012128759.tif 000006
【図５】
2012128759.tif 000007